(57)【要約】【課題】記録されている複数の番組の中から関連する番組だけを簡単に選び出すことができるようにする。【解決手段】一覧で表示されている番組から所望する１つの番組を選択する。選択された番組のチャンネル、記録開始時間および曜日のデータを読み取る。他の番組からチャンネルおよび記録開始時間が同じ番組を抽出する。ここで、曜日指定があるとき、抽出された番組の中から同じ曜日の番組を抽出する。最後に、抽出された番組を日付の古いものから順に番号を付け、番号順に再生する。【選択図】　図２
2004062921.tif 000002
【特許請求の範囲】
【請求項１】
画像情報を記録するランダムアクセス可能な記録媒体と、記録されている複数の画像情報の中から１つを選択したとき、選択された画像情報に関連する画像情報を抽出する抽出手段と、抽出された画像情報を外部から認識できるように出力する出力手段とを備えたことを特徴とする記録再生装置。
【請求項２】
出力手段は、抽出された画像情報を所定の規則に従って順位を付けて出力することを特徴とする請求項１記載の記録再生装置。
【請求項３】
出力手段が再生手段とされ、抽出された画像情報を順に再生することを特徴とする請求項１または２記載の記録再生装置。
【請求項４】
画像情報を記録するランダムアクセス可能な記録媒体と、前記画像情報の一覧を表示する表示手段と、表示されている複数の画像情報の中から１つを選択したとき、選択された画像情報に含まれる情報と一致する情報を含む画像情報を抽出する抽出手段とを備え、前記表示手段は、抽出された画像情報を認識できるように表示することを特徴とする記録再生装置。
【請求項５】
表示手段は、抽出された画像情報を所定の規則に従って順位を付けて表示することを特徴とする請求項４記載の記録再生装置。
【請求項６】
画像情報は、記録時の日付、記録時の曜日、記録開始時間、記録元情報の各情報を含み、抽出手段は、選択された画像情報の記録開始時間および記録元情報と一致する画像情報を抽出することを特徴とする請求項１〜５のいずれかに記載の記録再生装置。
【請求項７】
抽出手段は、抽出された画像情報を曜日に基づいて絞り込むことを特徴とする請求項６記載の記録再生装置。
【請求項８】
複数の項目からなる識別情報を含む画像情報を記録するランダムアクセス可能な記録媒体と、前記識別情報の一覧を表示する表示手段と、前記画像情報を再生する再生手段と、表示されている複数の識別情報の中から１つを選択したとき、選択された識別情報と一部の項目が一致する識別情報を含む画像情報を抽出する抽出手段とを備え、前記表示手段は、抽出された画像情報の識別情報を認識できるように表示し、前記再生手段は、抽出された画像情報を所定の規則に従って順に再生することを特徴とする記録再生装置。
【請求項９】
所定の規則は、記録時の日付および記録開始時間の古い順とすることを特徴とする請求項２、５、８のいずれかに記載の記録再生装置。
【発明の詳細な説明】
【０００１】
【発明の属する技術分野】
本発明は、放送番組等の画像をランダムアクセス可能な記録媒体に記録して、再生したり、あるいは他の記録媒体に出力する記録再生装置に関する。
【０００２】
【従来の技術】
例えばテレビ放送の番組を録画して再生する記録再生装置において、ランダムアクセス可能な大容量の記録媒体として、ハードディスクやＤＶＤ−Ｒ、ＤＶＤ−ＲＷ等の書き換え可能な記録ディスクを使用している。
【０００３】
番組を録画すると、記録媒体には、映像信号を符号化した画像データが保存され、１つの画像ファイルが作成される。なお、映像信号は、音声信号を含むもの、あるいは音声信号を含まないもののいずれかとされ、以下、これらを映像信号と称する。
【０００４】
画像データの保存時に、ファイル名、記録時の日付、曜日、記録開始から終了までの録画時間、チャンネル、記録モード、ジャンル等の識別情報も保存され、画像データおよび識別情報から１つの画像情報が構成される。識別情報および画像データは、それぞれ記録媒体の所定の領域に保存される。記録媒体に記録された画像情報は、画像ファイルとして管理される。
【０００５】
複数の画像情報を記録した記録再生装置では、記録されている内容を知らせるために、テレビ、モニタ等の表示装置に各画像情報の識別情報を出力して、表示可能としている。記録内容を表示するように入力があると、表示装置には、記録媒体から呼び出された識別情報の一覧が表示される。
【０００６】
ここで、表示された一覧を所望の条件に従って並べ替えることができる。例えば、特開２００２−３２９８１号公報では、識別情報の一覧を表示して、指定された条件に応じて識別情報が並べ替えられ、表示される。この条件としては、日付順、タイトル順あるいはジャンル順である。
【０００７】
【発明が解決しようとする課題】
上記の並べ替えでは、全ての画像情報を対象にしている。そのため、連続ドラマ等の関連した番組の画像情報だけを抽出して、並べ替えることができない。ジャンルでドラマを指定すると、月曜日から日曜日までの間に記録された全てのドラマが抽出され、関連しないドラマの画像情報が存在する。
【０００８】
そこで、例えば、図５に示すように、記録されている画像情報の一覧として録画リストが表示されているとき、関連した複数の画像情報を抽出するには、ユーザが、識別情報を確認しながら１〜４の順に１つずつ選択していく必要があり、手間と時間がかかる。
【０００９】
本発明は、上記に鑑み、簡単な操作によって、ユーザが望む互いに関連した複数の画像情報を容易に抽出できる記録再生装置を提供することを目的とする。
【００１０】
【課題を解決するための手段】
本発明による課題解決手段は、画像情報を記録するランダムアクセス可能な記録媒体と、記録されている複数の画像情報の中から１つを選択したとき、選択された画像情報に関連する画像情報を抽出する抽出手段と、抽出された画像情報を外部から認識できるように出力する出力手段とを備えたものである。
【００１１】
画像情報を選択するとき、表示手段によって記録されている画像情報を一覧で表示しておくとよい。あるいは、任意の画像情報を再生中に、これに関連する画像情報を抽出できるようにしてもよい。これによって、関連する画像情報をすぐに取得することができるので、例えば前回の番組の内容を確認したいといったユーザの要望に容易に応じることができる。
【００１２】
選択された画像情報に関連する画像情報とは、選択された画像情報が有する情報の一部と一致する情報を有する画像情報であって、抽出手段によってこれらの画像情報が選び出される。
【００１３】
具体的には、複数の項目からなる識別情報を含む画像情報を記録するランダムアクセス可能な記録媒体と、前記識別情報の一覧を表示する表示手段と、前記画像情報を再生する再生手段と、表示されている複数の識別情報の中から１つを選択したとき、選択された識別情報と一部の項目が一致する識別情報を含む画像情報を抽出する抽出手段とを備えたものとする。このとき、前記表示手段は、抽出された画像情報の識別情報を認識できるように表示し、前記再生手段は、抽出された画像情報を所定の規則に従って順に再生する。
【００１４】
ここで、画像情報は、画像データ以外に、記録時の日付、記録時の曜日、記録開始時間、記録元情報の各情報を含んだものである。抽出手段は、選択された画像情報の記録開始時間および記録元情報と一致する画像情報を抽出する。さらに、抽出した画像情報を曜日に基づいて絞り込む。なお、記録元情報とは、例えば記録した番組のチャンネル、ＷｅｂページのＩＰアドレス、画像情報を他の機器から入力した場合のその機器名等である。
【００１５】
そして、抽出された画像情報は、他の関連しない画像情報と見分けがつくように出力される。例えば、表示する場合、マークを付ける、色を変える、抽出されたものだけを表示することにより、容易に認識できる。このとき、抽出された画像情報を所定の規則に従って順位を付けて出力する。すなわち、日付順、時間順に表示する。
【００１６】
また、抽出された画像情報をそのまま再生するように出力してもよい。日付の古いものから順に再生すると、抽出された画像情報が連続した番組等のような関連を有するものであるとき、番組の流れに沿って見ることができ、ユーザにとって好都合である。
【００１７】
【発明の実施の形態】
本発明の一実施形態の記録再生装置を図１に示す。本記録再生装置は、ランダムアクセス可能な記録媒体１としてハードディスクを備え、チューナ２、映像音声処理部３、記録再生部４、入力部５、制御部６から構成される。
【００１８】
地上波放送や衛星放送からの電波はチューナ２に入力される。チューナ２は、選局されたチャンネルの電波を選択して、受信した映像信号を映像音声処理部３に出力する。映像音声処理部３では、映像信号の復調やデジタル信号への変換を行い、デジタルの映像信号を符号化して記録再生部４に出力する。記録再生部４では、ハードディスク１の所定の領域に画像ファイルを作成し、符号化された映像信号を書き込む。このようにして、ハードディスク１に番組が記録される。
【００１９】
記録した番組を再生するときは、記録再生部４がハードディスク１から画像ファイルを読み出して、映像音声処理部３に出力する。映像音声処理部３では、符号化された映像信号を復号し、アナログ信号に変換して、映像信号をテレビ、モニタ等の表示部７やスピーカに出力する。
【００２０】
入力部５は、リモートコントローラあるいは装置本体の操作パネルとされ、番組の記録、再生、あるいは画像ファイルの編集の指示を行う。制御部６は、入力部５から入力された内容に基づいてチューナ２、映像音声処理部３、記録再生部４、表示部７を制御する。
【００２１】
ハードディスク１に記録される画像情報は、ファイル名、記録時の日付、曜日、記録開始から終了までの録画時間、チャンネル、記録モード、ジャンル等の識別情報と、符号化された映像信号からなる画像データとから構成され、１つの画像ファイルとして制御部６により管理される。なお、ジャンルは、記録時あるいは記録予約時に、ユーザが入力することにより記録されるが、記録時に自動的に入力されるようにしてもよい。
【００２２】
制御部６は、ハードディスク１に記録している画像情報の中から任意に選択された１つの画像情報に関連する画像情報を抽出する機能を有し、抽出した画像情報を外部から認識できるように表示したり、連続して再生するプログラム再生といったように画像情報を出力する。関連する画像情報とは、例えば選択された画像情報が連続番組であれば、他の日に記録された同じ連続番組に対する画像情報である。他に、毎週同じ曜日、同じ時間に放送される映画等の番組に対する画像情報、スポーツ番組といった同じジャンルの画像情報等が挙げられる。
【００２３】
すなわち、抽出するために、識別情報の複数の項目として、録画時間、チャンネル、曜日、ジャンル、日付の各データを参照する。各データの優先順位は、まずチャンネルと、録画時間、特に記録開始時間とを第１位とする。次に曜日、最後にジャンルとする。日付は、抽出された画像情報に順位を付けるときに参照する。
【００２４】
画像情報の抽出時の手順を図２のフローチャートに基づいて説明する。ここでは、外部への出力として、プログラム再生を実行する。まず、ユーザが、ハードディスク１に記録されている各番組の画像情報を知るために、画像情報の内容を表示するように入力部５から操作する。入力部５からの入力信号によって制御部６は、記録されている画像情報における識別情報の一覧を表示するように表示部７を駆動する。表示部７には、図３の録画リストに示すように、各番組の識別情報の一覧が表示される。すなわち、記録時の日付、曜日、録画時間、チャンネル、記録モード、ジャンルがそれぞれ表示される。
【００２５】
図３の表示画面からユーザが望む番組に関連する１つの識別情報が選択されると、制御部６では、選択された識別情報の録画時間、特に記録開始時間、チャンネルおよび曜日のデータを読み取る。これらのデータを参照して、他の識別情報のデータと比較し、記録開始時間およびチャンネルのデータが一致する識別情報を含む画像情報を抽出する。
【００２６】
その後、曜日指定の有無を判断する。曜日指定とは、同じ曜日のみ、月曜日〜金曜日、月曜日〜土曜日、しないの４つがある。ユーザは、これらのいずれかを選択する。
【００２７】
曜日指定がされた場合、制御部６では、指定された条件で抽出された画像情報を絞り込む。同じ曜日のみが指定されたとき、同じチャンネル、同じ記録開始時間の画像情報の中から曜日が同じ画像情報だけが抽出される。月曜日〜金曜日が指定されたとき、同じチャンネル、同じ記録開始時間で月曜日〜金曜日の画像情報が抽出される。月曜日〜土曜日が指定されたとき、同様に月曜日〜土曜日の画像情報が抽出される。曜日指定がされない場合は、曜日による絞り込みは行わない。
【００２８】
最後に、抽出された画像情報のジャンルのデータを確認し、異なるジャンルの画像情報は廃棄し、同じジャンルの画像情報だけを残す。このように抽出された複数の画像情報に対して、日付のデータを比較し、日付の古い順に画像情報を並べ替える。これによって、プログラム再生の順番が設定される。ここでは、図４に示すように、抽出した画像情報における識別情報に古い順に番号を付け、抽出されたものがユーザにわかるように表示する。ここでは、抽出されなかった他の識別情報も表示しているが、抽出された識別情報だけを表示してもよい。
【００２９】
そして、プログラム再生が開始され、古い画像情報から順に再生される。このように、連続ドラマ等の複数の関連した番組の画像情報を記録しているとき、これらの中から任意の１つの画像情報を選択すれば、関連する画像情報が抽出され、所望の順に表示あるいは再生できる。したがって、関連する画像情報の連続再生、削除といった編集作業を容易に行うことができる。
【００３０】
なお、本発明は、上記実施形態に限定されるものではなく、本発明の範囲内で上記実施形態に多くの修正および変更を加え得ることは勿論である。記録媒体は、ハードディスクに限らず、書き換え可能なＤＶＤ、ＣＤ、ＭＤ、半導体メモリであってもよい。また、本記録再生装置は、ＨＤＤビデオレコーダ以外に、パソコン、デジタルカメラ、デジタルビデオカメラ等のランダムアクセス可能な記録媒体を搭載したデキタル機器に適用可能である。あるいは記録媒体、記録再生部および通信機能を備えたセットトップボックスに適用してもよい。そして、画像情報としては、録画した番組だけでなく、カメラで撮影した映像、インターネットのＷｅｂページ、文書がある。
【００３１】
上記実施形態では、外部への出力をプログラム再生としたが、他の記録媒体に出力してもよい。例えば、記録再生装置が、複数の記録媒体を備え、それぞれ記録再生する機能を有している場合、１回の操作で関連する画像情報をコピーすることができる。また、出力の順位は、記録時の日付の古い順に限らず、日付の新しい順としてもよい。
【００３２】
【発明の効果】
以上の説明から明らかな通り、本発明によると、簡単な操作によって複数の画像情報の中から関連する画像情報を選び出すことができ、これを利用して、容易に連続した再生や編集をすることができる。したがって、ユーザの操作回数を減らすことができ、記録再生装置としての操作性の向上を図れる。
【図面の簡単な説明】
【図１】本発明の一実施形態の記録再生装置の概略ブロック図
【図２】画像情報の抽出時の動作フローチャート
【図３】記録されている番組の一覧を表示した画面を示す図
【図４】抽出された番組の一覧を表示した画面を示す図
【図５】従来の記録されている番組から関連する番組を１つずつ選択した画面を示す図
【符号の説明】
１　　ハードディスク
３　　映像音声処理部
４　　記録再生部
５　　入力部
６　　制御部
７　　表示部
【図１】
2004062921.tif 000003
【図２】
2004062921.tif 000004
【図３】
2004062921.tif 000005
【図４】
2004062921.tif 000006
【図５】
2004062921.tif 000007